(57)【特許請求の範囲】
【請求項１】
画像を取得する画像取得手段と、
前記画像取得手段により取得される画像内の被写体が特定の個体であるかを認識するための簡易な特徴情報と前記画像取得手段により取得される画像内の被写体が特定の個体であるかを認識するための詳細な特徴情報とを記憶している第１の記憶手段と、
前記第１の記憶手段に記憶された簡易な特徴情報に基づいて、前記取得された画像内の被写体から前記特定の個体を認識する第１の認識手段と、
前記第１の認識手段により認識された前記特定の個体に基づいて、当該特定の個体に対応する詳細な特徴情報を前記第１の記憶手段から読み出す読み出し手段と、
前記読み出し手段により読み出された詳細な特徴情報に基づいて、前記第１の認識手段により認識された画像内の被写体が前記特定の個体であるかを認識する第２の認識手段と
を備えることを特徴とする画像処理装置。
【請求項２】
前記第１の記憶手段は、前記簡易な特徴情報と前記詳細な特徴情報とを特定個体を識別するための識別情報に対応づけて記憶していることを特徴とする請求項１記載の画像処理装置。
【請求項３】
前記第２の認識手段により認識された画像内の被写体が前記特定の個体であると認識されない場合に、当該画像に対して第１の識別子を設定する第１の設定手段を更に備えることを特徴とする請求項１又は２に記載の画像処理装置。
【請求項４】
前記画像取得手段により取得された画像に前記第１の認識手段により認識された特定の個体の識別情報を対応付けて記憶する第２の記憶手段を更に備え、
前記読み出し手段は、前記第２の記憶手段により画像に対応付けて記憶された特定の個体の識別情報に基づいて、前記特定の個体に対応する詳細な特徴情報を前記第１の記憶手段から読み出すことを特徴とする請求項２又は３記載の画像処理装置。
【請求項５】
前記第１の認識手段による認識対象であることを識別するための第２の識別子を、前記第１の記憶手段に前記特定の個体に対応付けて記憶された簡易な特徴情報と詳細な特徴情報とに設定する第２の設定手段を更に備え、
前記第１の認識手段は、前記画像取得手段により取得された画像内の被写体から、前記第２の設定手段により第２の識別子が設定された特定の個体を認識することを特徴とする請求項１乃至４の何れか１項に記載の画像処理装置。
【請求項６】
前記第１の設定手段により第１の識別子が設定された画像を消去する画像消去手段を更に備えることを特徴とする請求項３記載の画像処理装置。
【請求項７】
前記第１の設定手段により第１の識別子が設定された画像を消去するか否かを指示するよう報知する報知手段と、
前記報知手段により報知された前記画像を消去する指示を検出する検出手段とを更に備え、
前記画像消去手段は、前記検出手段により前記画像を消去する指示が検出されると、前記第１の設定手段により第１の識別子が設定された前記画像を消去する
ことを特徴とする請求項６記載の画像処理装置。
【請求項８】
撮像手段を更に備え、
前記画像取得手段は、前記撮像手段により撮像された画像を取得することを特徴とする請求項１乃至７の何れか１項に記載の画像処理装置。
【請求項９】
画像を取得する画像取得ステップと、
前記画像取得ステップにより取得される画像内の被写体が特定の個体であるかを認識するための簡易な特徴情報と、前記画像取得ステップにより取得される画像内の被写体が特定の個体であるかを認識するための詳細な特徴情報とを記憶手段に記憶させる第１の記憶制御ステップと、
前記簡易な特徴情報に基づいて、前記画像取得ステップで取得された画像内の被写体から前記特定の個体を認識する第１の認識ステップと、
前記第１の認識ステップにより認識された前記特定の個体に基づいて、当該特定の個体に対応する詳細な特徴情報を前記記憶手段から読み出す読み出しステップと、
該読み出された詳細な特徴情報に基づいて、前記第１の認識ステップで認識された画像内の被写体が前記特定の個体であるかを認識する第２の認識ステップと、
を含むことを特徴とする画像管理方法。
【請求項１０】
画像を取得する画像取得手段と記憶手段とを備えた画像処理装置のコンピュータを、
画像内の被写体が特定の個体であるかを認識するための簡易な特徴情報と、前記画像取得手段により取得される画像内の被写体が特定の個体であるかを認識するための詳細な特徴情報とを記憶手段に記憶させる第１の記憶制御手段、
前記第１の記憶制御手段で記憶された簡易な特徴情報に基づいて、前記画像取得手段により取得された画像内の被写体から前記特定の個体を認識する第１の認識手段、
前記第１の認識手段により認識された前記特定の個体に基づいて、当該特定の個体に対応する詳細な特徴情報を前記記憶手段から読み出す読み出し手段、
前記読み出し手段により読み出された詳細な特徴情報に基づいて、前記第１の認識手段により認識された画像内の被写体が前記特定の個体であるかを認識する第２の認識手段、
として機能させることを特徴とするプログラム。
【発明の詳細な説明】
【技術分野】
【０００１】
本発明は、画像処理装置、画像管理方法、及びプログラムに関する。
【背景技術】
【０００２】
従来の技術として、撮影時に顔識別が出来なかった画像や顔識別機能を利用しなかった画像について、再度顔検出を行うことにより画像中の人物の分類を行う技術が知られている（例えば特許文献１参照）。該従来技術は、顔識別が出来なかった画像や顔識別機能を利用しなかった画像について再度の顔検出を行い、新たに検出された顔の人物を既存の所定の人物として関連付けて記録することや新規の人物として関連付けて記録するというものである。
【先行技術文献】
【特許文献】
【０００３】
【特許文献１】特開２０１０−１７８１６０号公報
【発明の概要】
【発明が解決しようとする課題】
【０００４】
しかしながら、上記従来技術では、一度、特定の人物と誤って特定してしまった画像については再度の人物の分類は行わないため、誤って分類された人物の画像はそのままに記録されてしまうという問題があった。
【０００５】
そこで本発明は、画像内の被写体から個体を特定する精度を向上できる画像処理装置、画像管理方法、及びプログラムを提供することを目的とする。
【課題を解決するための手段】
【０００６】
上記課題を解決するため、本発明は、画像を取得する画像取得手段と、前記画像取得手段により取得される画像内の被写体が特定の個体であるかを認識するための簡易な特徴情報と、前記画像取得手段により取得される画像内の被写体が特定の個体であるかを認識するための詳細な特徴情報とを記憶している第１の記憶手段と、前記第１の記憶手段に記憶された簡易な特徴情報に基づいて、前記取得された画像内の被写体から前記特定の個体を認識する第１の認識手段と、前記第１の認識手段により認識された前記特定の個体に基づいて、当該特定の個体に対応する詳細な特徴情報を前記第１の記憶手段から読み出す読み出し手段と、前記読み出し手段により読み出された詳細な特徴情報に基づいて、前記第１の認識手段により認識された画像内の被写体が前記特定の個体であるかを認識する第２の認識手段とを備えることを特徴とすることを特徴とする画像処理装置である。
【発明の効果】
【０００７】
この発明によれば、画像内の被写体から特定の個体を認識する精度を向上できる。
【図面の簡単な説明】
【０００８】
【図１】本発明の実施形態によるデジタルカメラの構成を示すブロック図である。
【図２】本実施形態によるデジタルカメラにおいて、個人情報が登録されている管理テーブルの一例を示す概念図である。
【図３】本実施形態によるデジタルカメラで、個人情報を設定する際や、設定内容を変更する際の画面の一例を示す模式図である。
【図４】本実施形態によるデジタルカメラにおける、簡易な顔特徴情報、及び詳細な顔特徴情報の一例を示す概念図である。
【図５】本実施形態によるデジタルカメラの動作（設定処理）を説明するためのフローチャートである。
【図６】本実施形態によるデジタルカメラにおいて、撮像時の動作を説明するためのフローチャートである。
【図７】本実施形態によるデジタルカメラにおいて、画像区分け処理の動作を説明するためのフローチャートである。
【図８】本実施形態によるデジタルカメラにおいて、所望する画像の一例を示す概念図である。
【図９】所望しない、区分けされた画像の一例を示す概念図である。
【発明を実施するための形態】
【０００９】
以下、本発明の実施の形態を、図面を参照して説明する。
【００１０】
Ａ．実施形態の構成
図１は、本発明の実施形態によるデジタルカメラの構成を示すブロック図である。図において、デジタルカメラ１は、撮像部２、撮像制御部３、画像処理部４、ＣＰＵ７、ＲＡＭ８、ＲＯＭ９、記録部１０、表示部１１、及びキー入力部１２を備えている。
【００１１】
撮像部２は、フォーカスレンズ、ズームレンズなどのレンズ群、撮像素子（ＣＣＤなど）を含み、撮像制御部３からの制御信号に従って、オートフォーカシング、絞り、ズーミングなどを調整し、撮像素子によりレンズ群を介して投影された被写体の光を電気信号に変換し、撮像信号として出力する。撮像制御部３は、ＣＰＵ７の制御の下、撮像部２の撮像動作を制御する。
【００１２】
画像処理部４は、撮像部２により撮像された画像データの画像処理（画素補間処理、γ補正、輝度色差信号の生成、ホワイトバランス処理、露出補正処理等）、画像データの圧縮・伸張（例えば、ＪＰＥＧ形式やＭｏｔｉｏｎ−ＪＰＥＧ形式又はＭＰＥＧ形式の圧縮・伸張）の処理、複数の撮像画像を合成する処理などを行う。
【００１３】
特に、本発明の実施形態では、画像処理部４は、顔検出部２０と、顔解析部２１と、識別子設定部２２と、画像消去部２３とを備えている。顔検出部２０は、スルー画像から人物の顔を検出する。顔解析部２１は、簡易な顔特徴情報、あるいは詳細な顔特徴情報に基づいて、撮像画像の人物の顔を解析し、その人物を特定する。ここで、本実施例では、顔検出により人物を特定するようにしたが、動物等の人物以外の個体を特定するようにしても良い。
【００１４】
識別子設定部２２は、撮像後の画像に対して詳細な顔特徴情報を用いて行われる顔解析部２１による解析結果に基づいて、特定の人物が撮像されていない所望しない画像を区分けるために、該所望しない画像に識別子を付与する。画像消去部２３は、ユーザの指示に従って、上記区分けされた所望しない画像を消去する。
【００１５】
ＣＰＵ７は、デジタルカメラ１の各部を制御するワンチップマイコンである。特に、本実施形態では、ＣＰＵ７は、シャッタの半押し、及び全押し時に、スルー画像に対して、特定の人物が被写体として存在する場合に撮像して保存すべく、撮像制御部３、画像処理部４などを制御する。また、ＣＰＵ７は、該撮像した複数の画像の中から所望しない画像を区分けするために、撮像画像に対して、特定の人物が撮像されているか否かを判別すべく、画像処理部４を制御する。
【００１６】
ＲＡＭ８は、撮像部２によって撮像された画像データを一時記憶するバッファメモリとして使用されるとともに、ＣＰＵ７のワーキングメモリとして使用される。ＲＯＭ９は、ＣＰＵ７によるデジタルカメラ１の各部の制御に必要なプログラム、及び各部の制御に必要なデータが記録されている。ＣＰＵ７は、このプログラムに従って処理を行う。
【００１７】
記録部１０は、撮像部２によって撮像された画像データを記録する。また、該記録部１０は、特定の人物の顔画像や、顔認識に用いる顔特徴情報などを登録・設定するための管理テーブル２４を有している。
【００１８】
表示部１１は、カラーＬＣＤとその駆動回路を含み、撮像待機状態にあるときには、撮像部２によって撮像された被写体をスルー画像として表示し、記録画像の再生時には、記録部１０から読み出され、伸張された記録画像を表示する。キー入力部１２は、シャッタＳＷ（スイッチ）、ズームＳＷ、モードキー、ＳＥＴキー、十字キー等の複数の操作キーを含み、ユーザのキー操作に応じた操作信号をＣＰＵ７に出力する。  
【００１９】
本実施形態では、撮り逃しを防ぐために、全押し以外にも、シャッタの半押し状態で、スルー画像に対して顔認識することで、予め登録した特定の人物が被写体として存在する場合に、その特定の人物の顔に合焦して撮像して保存するようになっている。但し、撮像時には、処理を軽減するために、簡易な顔特徴情報を用いて顔認識を行っている。また、特定の人物を指定するための解析フラグを用意し、予め登録した人物毎に設定可能としている。
【００２０】
そして、このように撮像した場合、簡易な顔特徴情報を用いて人物を特定しているので、実際には、その人物でない人物が撮像されている場合がある。つまり、撮影された画像の中に不要な画像（所望する人物が撮像されていない画像）が保存されている場合がある。そこで、本実施形態では、不要な画像を容易に区分け、削除するために、撮像後の画像に対して、特定の人物の詳細な顔特徴情報を用いて再解析を行い、特定した人物が被写体として存在しない場合には、区分けし、必要に応じて、削除するようにしている。
【００２１】
また、本実施形態では、撮影時に、予め登録した複数の人物が被写体として存在する場合に、どの人物に優先的に合焦するかを指定するために、予め登録した人物毎に、優先度を設定することが可能となっている。
【００２２】
図２は、本実施形態によるデジタルカメラにおいて、個人情報が登録されている管理テーブルの一例を示す概念図である。管理テーブル２４には、登録した人物の顔画象、予め登録した特定の人物が被写体として存在するか判別するための顔認識に用いる簡易な顔特徴情報、撮像後の画像に特定の人物が存在するか判別するための顔認識に用いる詳細な顔特徴情報、どの人物に優先的に合焦するかを指定するための優先度、特定の人物を指定するための解析フラグが設定されている。
【００２３】
顔画像は、登録時、あるいは前もって撮影されたその被写体の顔画像であり、顔を特徴付ける（個人識別可能とする）顔特徴情報（簡易な顔特徴情報、及び詳細な顔特徴情報）の抽出に用いられるとともに、個人情報の登録時などに特定の被写体を指定する際のサムネイルとして用いられる。
【００２４】
簡易な顔特徴情報は、顔画像が登録された時点で抽出、登録され、撮影時の被写体を特定するために用いられる。詳細な顔特徴情報は、顔画像が登録された時点で抽出、登録され、撮像後の画像に特定の人物が存在するか判別するために用いられる。優先度は、１＜２＜３＜４＜５の順となっており、優先度が高い被写体ほど優先してメイン被写体と認識される。なお、優先度は重複しても良い。また、当該装置に登録されていない被写体の優先度は最低レベル「１」、もしくはそれ以下として判断する。解析フラグは、特定の人物を指定するために用いられ、「ＯＮ」で指定、「ＯＦＦ」で無指定となる。
【００２５】
図３は、本実施形態によるデジタルカメラで、個人情報を設定する際や、設定内容を変更する際の画面の一例を示す模式図である。ユーザが個人情報を設定すべく所定の操作を行うと、図３に示すような設定画面が表示される。ユーザは、該設定画面において、優先度や、顔認識を行う人物であることを示す解析フラグ（“ＯＮ”ｏｒ“ＯＦＦ”）を設定する。
【００２６】
図４は、本実施形態によるデジタルカメラにおける、簡易な顔特徴情報、及び詳細な顔特徴情報の一例を示す概念図である。本実施形態では、それぞれの人物毎に、撮影時に用いる簡易な顔特徴情報と、再解析用の詳細な顔特徴情報とが登録されている。簡易な顔特徴情報には、人物の眉、目、鼻、口などの主要な部位の特徴がある。これに対して、詳細な顔特徴情報には、人物の眉、目、鼻、口などの主要な部位に加えて、額や、頬などの特徴がある。
【００２７】
Ｂ．実施形態の動作
次に、上述した実施形態の動作について説明する。
図５は、本実施形態によるデジタルカメラの動作（設定処理）を説明するためのフローチャートである。まず、ユーザにより設定モードが指定されると、図３に示すように、予め登録された人物の顔データの一覧を表示する設定画面を表示し、予め登録された人物の顔データの中から顔認識を行う対象となる人物を指定するための解析フラグと、合焦の優先度とを設定するように報知する（ステップＳ１０）。ユーザは、上記設定画面において、顔認識を行う対象となる人物に対する解析フラグと優先度とを設定する。
【００２８】
次に、合焦優先度と解析フラグとが全て設定されたか否かを判断する（ステップＳ１２）。そして、全て設定されていない場合には（ステップＳ１２のＮＯ）、ステップＳ１０に戻る。一方、全て設定された場合には（ステップＳ１２のＹＥＳ）、設定内容を保存し（ステップＳ１４）、当該処理を終了する。
【００２９】
図６は、本実施形態によるデジタルカメラにおいて、撮像時の動作を説明するためのフローチャートである。ユーザにより撮影モードが指定されると、まず、ＣＰＵ７は、シャッタの半押し、全押しを含む撮像指示があったか否かを判断する（ステップＳ２０）。そして、撮像指示がない場合（ステップＳ２０のＮＯ）、撮像指示があるまで待機する。
【００３０】
一方、撮像指示があった場合には（ステップＳ２０のＹＥＳ）、顔検出部２０、及び顔解析部２１により、スルー画像に対して、解析フラグがＯＮにされた人物を簡易な顔特徴情報により特定し（ステップＳ２２）、撮像制御部３により、特定された人物の中で、優先度の高い人物の顔に合焦して撮像し（ステップＳ２４）、該撮像された画像に対して、特定された人物の情報を付加して記録部１０に記録する（ステップＳ２６）。なお、人物の情報には、該当人物の座標、識別情報（図２のＮｏ．）、氏名などが含まれる。
【００３１】
次に、撮像が終了したか否かを判断し（ステップＳ２８）、撮像が終了していない場合には（ステップＳ２８のＮＯ）、ステップＳ２０に戻り、上述した処理を繰り返す。一方、撮像が終了した場合には（ステップＳ２８のＹＥＳ）、当該処理を終了する。
【００３２】
以上の撮像処理により、シャッタ半押しであっても、予め解析フラグをＯＮに設定した人物が被写体として存在するであろうと推定される場合には、その人物の情報が付加されて撮像画像が保存されることになる。したがって、シャッタチャンスを逃すというミスを防止することができる。
【００３３】
図７は、本実施形態によるデジタルカメラにおいて、保存された画像の中から、所望する人物が写っていない、ユーザが所望しない画像を区分け・削除する画像区分け処理の動作を説明するためのフローチャートである。ユーザにより画像区分けモードが指定されると、まず、区分け候補の対象となる画像を記録部１０から読み出す（ステップＳ３０）。次に、顔解析部２１は、読み出した画像に対応付けられた特定の人物（一人以上）の情報（座標、識別情報、氏名など）に基づいて、画像内で特定の人物に該当する顔を、対応する詳細な顔特徴情報を用いて再解析し（ステップＳ３２する。その後、顔解析部２１は、再解析した結果に基づいて、特定した人物のうち、詳細な顔特徴情報が一致しない人物が存在するか否か判断する（ステップＳ３４）。
【００３４】
そして、特定した人物のうち、詳細な顔特徴情報と人物とが一致する場合には（ステップＳ３４のＮＯ）、所望する人物が撮像されているので、そのまま、当該処理を終了する。この場合、当該画像は、削除する画像に区分けされない。
【００３５】
一方、特定した人物のうち、詳細な顔特徴情報が一致しない人物が存在する場合には（ステップＳ３４のＹＥＳ）、所望する人物が撮像されていないので、該当する画像を表示し、区分けするかどうかの旨を表示する（ステップＳ３６）。そして、ユーザは、表示される画像を確認し、削除する画像として区分けするか否かを判断して指示する。
【００３６】
ここで、本実施形態では、後述するように、区分けされた画像に対して削除指示があると、該当する画像を削除するが、これに限られない。例えば、特定した人物のうち、詳細な顔特徴情報が一致する人物が存在しない場合は、Ｓ２６で顔画像に付加された人物の情報を対応付けられた画像から削除するようにしても良い。
【００３７】
ＣＰＵ７は、区分け指示があったか否かを判断し（ステップＳ３８）、ユーザから区分け指示があった場合には（ステップＳ３８のＹＥＳ）、識別子設定部２２により、区分けされた画像であることを示す識別子を付与する（ステップＳ４０）。なお、識別子を付与する代わりに、当該画像を特定のフォルダに移動させるようにしてもよい。一方、ユーザから区分け指示がない場合には（ステップＳ３８のＮＯ）、何もせずに次に進む。
【００３８】
その後、次の区分け候補画像があるか否かを判断し（ステップＳ４２）、次の区分け候補画像がある場合には（ステップＳ４２のＹＥＳ）、ステップＳ３０に戻り、次の区分け候補の対象となる画像を読み出し、上述した処理を繰り返す。
【００３９】
一方、次の区分け候補画像がない場合には（ステップＳ４２のＮＯ）、区分けした画像の削除指示を検出したか否かを判断する（ステップＳ４４）。ユーザは、区分けされた画像の一覧などを確認することにより削除する画像を指定する。そして、区分けした画像の削除指示を検出しなかった場合には（ステップＳ４４のＮＯ）、当該処理を終了する。一方、区分けした画像の削除指示を検出した場合には（ステップＳ４４のＹＥＳ）、画像消去部２３は、削除指示があった画像を削除し（ステップＳ４６）、当該処理を終了する。  
【００４０】
図８は、本実施形態によるデジタルカメラにおいて、所望する画像の一例を示す概念図である。図９は、所望しない、区分けされた画像の一例を示す概念図である。図８に示すように、撮像された画像１００において、枠１０１、１０２、１０３の人物の顔に合焦して撮像されており、枠１０２の人物が特定した人物（図２、図３のＮｏ．３の人物）であると認識された人物である。この場合、枠１０１の顔特徴情報と、当該人物の詳細な顔特徴情報（図２のｄａｔａ１０３）とが一致するので所望する画像であると判断され、削除対象となる画像に区分けされない。
【００４１】
これに対して、図９に示すように、撮像された画像２００において、枠２０１、２０２、２０３の人物の顔に合焦して撮像されており、枠２０２の人物が特定した人物（図２、図３のＮｏ．３の人物）であると認識された人物である。しかしながら、撮影時の簡易な顔認識情報で認識された枠２０２の人物は、別人である。ゆえに、枠２０２内の人物の顔特徴情報と当該人物の詳細な顔特徴情報（図２のｄａｔａ１０３）とは、一致しない。したがって、当該画像２００は、削除対象となる画像に区分けされる。削除対象として区分けされた画像は、ユーザの指示に応じて削除される。
【００４２】
本実施形態によれば、上述したように、撮像後の画像に対して詳細な顔特徴情報を用いて再解析することにより、所望しない画像を区分けするようにしたので、削除するなど、容易に画像の管理を容易にすることができる。また、これにより、画像内の被写体から個体（人物や動物）を特定する精度を向上することができる。
【００４３】
以上、この発明のいくつかの実施形態について説明したが、この発明は、これらに限定されるものではなく、特許請求の範囲に記載された発明とその均等の範囲を含むものである。例えば、上述の実施形態では、本発明が適用される画像処理装置は、デジタルカメラ１として構成される例として説明した。しかしながら、本発明は、特にこれに限定されず、電子機器一般に適用することができ、例えば、本発明は、パーソナルコンピュータ、携帯型ナビゲーション装置、ポータブルゲーム機等に幅広く適用可能である。
以下に、本願出願の特許請求の範囲に記載された発明を付記する。
【００４４】
（付記１）
付記１に記載の発明は、画像を取得する画像取得手段と、前記画像取得手段により取得される画像内の被写体が特定の個体であるかを認識するための簡易な特徴情報と詳細な特徴情報とを前記特定の個体を識別するための識別情報に対応付けて記憶する第１の記憶手段と、前記第１の記憶手段に記憶された簡易な特徴情報に基づいて、前記取得された画像内の被写体から前記特定の個体を認識する第１の認識手段と、前記特定の個体の識別情報に基づいて、当該特定の個体に対応する詳細な特徴情報を前記第１の記憶手段から読み出す読み出し手段と、前記読み出し手段により読み出された詳細な特徴情報に基づいて、前記第１の認識手段により認識された画像内の被写体が前記特定の個体であるかを認識する第２の認識手段とを備えることを特徴とする画像処理装置である。
【００４５】
（付記２）
付記２に記載の発明は、前記第２の認識手段により認識された画像内の被写体が前記特定の個体であると認識されない場合に、当該画像に対して第１の識別子を設定する第１の設定手段を更に備えることを特徴とする付記１記載の画像処理装置である。
【００４６】
（付記３）
付記３に記載の発明は、前記画像取得手段により取得された画像に前記第１の認識手段により認識された特定の個体の識別情報を対応付けて記憶する第２の記憶手段を更に備え、前記読み出し手段は、前記第２の記憶手段により画像に対応付けて記憶された特定の個体の識別情報に基づいて、前記特定の個体に対応する詳細な特徴情報を前記第１の記憶手段から読み出すことを特徴とする付記１又は２に記載の画像処理装置である。
【００４７】
（付記４）
付記４に記載の発明は、前記第１の認識手段による認識対象であることを識別するための第２の識別子を、前記第１の記憶手段に前記特定の個体に対応付けて記憶された簡易な特徴情報と詳細な特徴情報とに設定する第２の設定手段を更に備え、前記第１の認識手段は、前記画像取得手段により取得された画像内の被写体から、前記第２の設定手段により第２の識別子が設定された特定の個体を認識することを特徴とする付記１乃至３の何れか記載の画像処理装置である。
【００４８】
（付記５）
付記５に記載の発明は、前記第１の設定手段により第１の識別子が設定された画像を消去する画像消去手段を更に備えることを特徴とする付記２乃至４の何れか記載の画像処理装置である。
【００４９】
（付記６）
付記６に記載の発明は、前記第１の設定手段により第１の識別子が設定された画像を消去するか否かを指示するよう報知する報知手段と、前記報知手段により報知された前記画像を消去する指示を検出する検出手段とを更に備え、前記画像消去手段は、前記検出手段により前記画像を消去する指示が検出されると、前記第１の設定手段により第１の識別子が設定された前記画像を消去することを特徴とする付記５記載の画像処理装置である。
【００５０】
（付記７）
付記７に記載の発明は、撮像手段を更に備え、前記画像取得手段は、前記撮像手段により撮像された画像を取得することを特徴とする付記１乃至６の何れか記載の画像処理装置である。
【００５１】
（付記８）
付記８に記載の発明は、画像を取得する画像取得ステップと、前記画像取得ステップにより取得される画像内の被写体が特定の個体であるかを認識するための簡易な特徴情報と詳細な特徴情報とを前記特定の個体を識別するための識別情報に対応付けて記憶手段に記憶させる第１の記憶制御ステップと、前記簡易な特徴情報に基づいて、前記画像取得ステップで取得された画像内の被写体から前記特定の個体を認識する第１の認識ステップと、前記特定の個体の識別情報に基づいて、当該特定の個体に対応する詳細な特徴情報を前記記憶手段から読み出す読み出しステップと、該読み出された詳細な特徴情報に基づいて、前記第１の認識ステップで認識された画像内の被写体が前記特定の個体であるかを認識する第２の認識ステップと、を含むことを特徴とする画像管理方法である。
【符号の説明】
【００５２】
１  デジタルカメラ
２  撮像部
３  撮像制御部
４  画像処理部
７  ＣＰＵ
８  ＲＡＭ
９  ＲＯＭ
１０  記録部
１１  表示部
１２  キー入力部
２０  顔検出部
２１  顔解析部
２２  識別子設定部
２３  画像消去部
２４  管理テーブル
【図１】
0005846420.tif 000002
【図２】
0005846420.tif 000003
【図３】
0005846420.tif 000004
【図４】
0005846420.tif 000005
【図５】
0005846420.tif 000006
【図６】
0005846420.tif 000007
【図７】
0005846420.tif 000008
【図８】
0005846420.tif 000009
【図９】
0005846420.tif 000010